(57)【要約】ネットワーク１３０に接続される中継装置１４０と、中継装置１４０に接続されるメディアコンバータ１５０ａと、中継装置１４０と、メディアコンバータ１５０ａとに接続され、メディアコンバータ１５０ａを管理する管理装置１８０とを備え、中継装置１４０は、ネットワーク１３０からメディアコンバータ１５０ａの管理を指示する管理コマンドを受信して、管理装置１８０に送信する第１の中継部を有し、管理装置１８０は、管理コマンドを、中継装置１４０から受信する第１の管理コマンド受信部を有することを特徴とする通信システムを提供する。
2003055144.tif 000002
【特許請求の範囲】
【請求項１】
外部のネットワークに接続される第１の中継装置と、
前記第１の中継装置に接続される第２の中継装置と、
前記第１の中継装置と、前記第２の中継装置とに接続され、前記第２の中継装置を管理する第１の管理装置とを備え、
前記第１の中継装置は、前記外部のネットワークから前記第２の中継装置の管理を指示する管理コマンドを受信して、前記第１の管理装置に送信する第１の中継部を有し、
前記第１の管理装置は、前記管理コマンドを、前記第１の中継装置から受信する第１の管理コマンド受信部を有する
ことを特徴とする通信システム。
【請求項２】
前記第２の中継装置は、前記第１の中継装置との接続に用いる第１の伝送媒体と、前記第１の伝送媒体と物理層が異なる伝送媒体である第２の伝送媒体との間で媒体変換を行う第２の中継部を有することを特徴とする請求項１記載の通信システム。
【請求項３】
前記第２の中継装置は、
前記第１の中継装置との接続に用いる第１の伝送媒体と、第２の伝送媒体との間の通信を中継する第２の中継部と、
前記第１の伝送媒体又は前記第２の伝送媒体からの受信が切断状態となった場合に、前記第２の中継部による前記第１の伝送媒体及び前記第２の伝送媒体への送信を切断状態とする第１の中継禁止部を有することを特徴とする請求項１記載の通信システム。
【請求項４】
前記第１の管理装置は、
前記第１の中継装置と前記第２の中継装置の間の通信が切断状態となったかどうかを監視する監視部と、
前記第１の中継装置と前記第２の中継装置の間の通信が切断状態となった場合に、前記第１の中継禁止部による前記第２の伝送媒体への送信の切断状態を解除させる中継再開部と、
前記中継再開部が前記第１の中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、
前記通信装置から前記通信状態取得メッセージに対する返信である通信状態返信メッセージを受信する返信メッセージ受信部とを有することを特徴とする請求項３記載の通信システム。
【請求項５】
前記管理メッセージ送信部は、前記通信状態取得メッセージを前記第２の中継装置に送信し、
前記第２の中継装置は、前記管理メッセージ送信部から受信した前記通信状態取得メッセージを、前記通信装置に送信することを特徴とする請求項４記載の通信システム。
【請求項６】
前記管理メッセージ送信部は、前記通信状態取得メッセージを前記第１の中継装置に送信し、
前記第１の中継装置内の前記第１の中継部は、前記管理メッセージ送信部から受信した前記通信状態取得メッセージを前記第２の中継装置に送信し、
前記第２の中継装置内の前記第２の中継部は、前記第１の中継部から受信した前記通信状態取得メッセージを、前記通信装置に送信することを特徴とする請求項４記載の通信システム。
【請求項７】
前記第２の中継装置に接続される第３の中継装置と、
前記第１の管理装置に接続され、前記第３の中継装置を管理する第２の管理装置を更に備え、
前記第２の管理装置は、前記第３の中継装置を管理する管理コマンドを、前記第１の管理装置から受信する第２の管理コマンド受信部を有する
ことを特徴とする請求項１記載の通信システム。
【請求項８】
前記第２の中継装置は、前記第１の中継装置との接続に用いる第１の伝送媒体と、前記第１の伝送媒体と物理層が異なる伝送媒体である第２の伝送媒体の間で媒体変換を行う第２の中継部を有し、
前記第３の中継装置は、前記第２の中継装置との接続に用いる前記第２の伝送媒体と、前記第２の伝送媒体と物理層が異なる伝送媒体である第３の伝送媒体の間で媒体変換を行う第３の中継部を有することを特徴とする請求項７記載の通信システム。
【請求項９】
前記第２の中継装置に接続され、前記第２の中継装置との接続に用いる前記第２の伝送媒体と、前記第２の伝送媒体と物理層が異なる伝送媒体である第３の伝送媒体の間で媒体変換を行う第３の中継装置を更に備え、
前記第３の中継装置は、
前記第２の伝送媒体又は前記第３の伝送媒体からの受信が切断状態となった場合に、前記第２の伝送媒体及び前記第３の伝送媒体への送信を切断状態とする中継禁止部と、
前記第２の伝送媒体、前記第３の中継装置、及び前記第３の伝送媒体を含む通信経路の通信状態を取得する通信状態取得メッセージを、前記第２の伝送媒体から受信する管理メッセージ受信部と、
前記通信状態取得メッセージの一部のフィールドを、前記第３の中継装置の通信状態を示す情報に変更し、前記通信状態取得メッセージと長さが等しい通信状態返信メッセージを生成する管理メッセージ変換部と、
前記中継禁止部が前記第３の伝送媒体への送信を切断状態としている場合に、前記通信状態返信メッセージを、前記第２の伝送媒体を介して前記第１の管理装置宛に返信する管理メッセージ返信部と
を更に有することを特徴とする請求項２記載の通信システム。
【請求項１０】
前記通信状態取得メッセージは、ＩＣＭＰ（Ｉｎｔｅｒｎｅｔ  Ｃｏｎｔｒｏｌ  Ｍｅｓｓａｇｅ  Ｐｒｏｔｏｃｏｌ）におけるエコーメッセージであり、
前記通信状態返信メッセージは、ＩＣＭＰにおけるエコーリプライメッセージであり、
前記管理メッセージ変換部は、前記通信状態返信メッセージを生成する場合に、前記通信状態取得メッセージである前記エコーメッセージのＩＰヘッダにおける送信元ＩＰアドレスと宛先ＩＰアドレスを入れ替え、前記エコーメッセージのデータフィールドの一部を前記第３の中継装置の通信状態を示す情報に変更することを特徴とする請求項９記載の通信システム。
【請求項１１】
第１の伝送媒体と、第２の伝送媒体とを接続する中継装置であって、
予め定められた条件が成立した場合に、前記第２の伝送媒体への送信を切断状態とする中継禁止部と、
前記第１の伝送媒体、当該中継装置、及び前記第２の伝送媒体を含む通信路の通信状態を取得する通信状態取得メッセージを、前記第１の伝送媒体を介して受信する管理メッセージ受信部と、
前記通信状態取得メッセージの一部のフィールドを、前記中継装置の通信状態を示す情報に変更し、前記通信状態取得メッセージと長さが等しい通信状態返信メッセージを生成する管理メッセージ変換部と、
前記第２の伝送媒体への送信を切断状態としている場合に、前記通信状態返信メッセージを、前記第１の伝送媒体を介して返信する管理メッセージ返信部と
を有することを特徴とする中継装置。
【請求項１２】
前記第２の伝送媒体は、前記第１の伝送媒体と物理層が異なる伝送媒体であり、
前記中継装置は、前記第１の伝送媒体と、前記第２の伝送媒体の間で媒体変換を行う中継部を更に備えることを特徴とする請求項１１記載の中継装置。
【請求項１３】
前記通信状態取得メッセージは、ＩＣＭＰ（Ｉｎｔｅｒｎｅｔ  Ｃｏｎｔｒｏｌ  Ｍｅｓｓａｇｅ  Ｐｒｏｔｏｃｏｌ）におけるエコーメッセージであり、
前記通信状態返信メッセージは、ＩＣＭＰにおけるエコーリプライメッセージであり、
前記管理メッセージ変換部は、前記通信状態返信メッセージを生成する場合に、前記通信状態取得メッセージである前記エコーメッセージのＩＰヘッダにおける送信元ＩＰアドレスと宛先ＩＰアドレスを入れ替え、前記エコーメッセージのデータフィールドの一部を前記中継装置の通信状態を示す情報に変更することを特徴とする請求項１１記載の中継装置。
【請求項１４】
外部のネットワークに接続される第１の中継装置と、
前記第１の中継装置に接続される第２の中継装置と、
前記第２の中継装置を管理する管理装置とを備える通信システムを管理する通信システム管理方法であって、
前記管理装置は、前記第１の中継装置と、前記第２の中継装置とに接続され、
前記第１の中継装置は、前記外部のネットワークから前記第２の中継装置の管理を指示する管理コマンドを受信して、前記管理装置に送信し、
前記管理装置は、前記管理コマンドを、前記第１の中継装置から受信する
ことを特徴とする通信システム管理方法。
【請求項１５】
第１の伝送媒体と、第２の伝送媒体とを接続する中継装置を制御する中継装置制御方法であって、
予め定められた条件が成立した場合に、前記第２の伝送媒体への送信を切断状態とし、
前記第１の伝送媒体、前記中継装置、及び前記第２の伝送媒体を含む通信路の通信状態を取得する通信状態取得メッセージを、前記第１の伝送媒体を介して受信し、
前記通信状態取得メッセージの一部のフィールドを、前記中継装置の通信状態を示す情報に変更し、前記通信状態取得メッセージと長さが等しい通信状態返信メッセージを生成し、
前記第２の伝送媒体への送信を切断状態としている場合に、前記通信状態返信メッセージを、前記第１の伝送媒体を介して返信する
ことを特徴とする中継装置制御方法。
【請求項１６】
外部のネットワークに接続される第１の中継装置と、前記第１の中継装置に接続される第２の中継装置とを備える通信システムにおいて、前記第２の中継装置を管理する管理装置用のプログラムであって、
前記第２の中継装置は、
前記第１の中継装置との接続に用いる第１の伝送媒体と、第２の伝送媒体との間の通信を中継する中継部と、
前記第１の伝送媒体又は前記第２の伝送媒体からの受信が切断状態となった場合に、前記中継部による前記第１の伝送媒体及び前記第２の伝送媒体への送信を切断状態とする中継禁止部を有し、
当該プログラムは、前記管理装置を、
前記第１の中継装置と前記第２の中継装置の間の通信が切断状態となったかどうかを監視する監視部と、
前記第１の中継装置と前記第２の中継装置の間の通信が切断状態となった場合に、前記中継禁止部による前記第２の伝送媒体への送信の切断状態を解除させる中継再開部と、
前記中継再開部が前記中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、
前記通信装置から前記通信状態取得メッセージに対する返信である通信状態返信メッセージを受信する返信メッセージ受信部と
して動作させることを特徴とするプログラム。
【請求項１７】
外部のネットワークに接続される第１の中継装置と、前記第１の中継装置に接続される第２の中継装置とを備える通信システムにおいて前記第２の中継装置を管理する管理装置用のプログラムを記録した記録媒体であって、
前記第２の中継装置は、
前記第１の中継装置との接続に用いる第１の伝送媒体と、第２の伝送媒体との間の通信を中継する中継部と、
前記第１の伝送媒体又は前記第２の伝送媒体からの受信が切断状態となった場合に、前記中継部による前記第１の伝送媒体及び前記第２の伝送媒体への送信を切断状態とする中継禁止部を有し、
前記プログラムは、前記管理装置を、
前記第１の中継装置と前記第２の中継装置の間の通信が切断状態となったかどうかを監視する監視部と、
前記第１の中継装置と前記第２の中継装置の間の通信が切断状態となった場合に、前記中継禁止部による前記第２の伝送媒体への送信の切断状態を解除させる中継再開部と、
前記中継再開部が前記第１の中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、
前記通信装置から前記通信状態取得メッセージに対する返信である通信状態返信メッセージを受信する返信メッセージ受信部と
して動作させることを特徴とする記録媒体。
【発明の詳細な説明】
技術分野
本発明は、通信システム、通信システム管理方法、中継装置、中継装置制御方法、プログラム、及び記録媒体に関する。
背景技術
近年の家庭におけるインターネット利用の普及に伴い、音楽、画像データ、及び動画像データ等の大量のデータをインターネットを介して配信する高速回線の実現が期待されている。この要求を受けて、各家庭に光ファイバを配線するＦＴＴＨ（Ｆｉｂｅｒ  Ｔｏ  Ｔｈｅ  Ｈｏｍｅ）等の普及化が進められている。
オフィス又は家庭においては、光ファイバをルータ等の中継装置や端末等に接続するために、光ファイバをＵＴＰ（Ｕｎｓｈｉｅｌｄｅｄ  Ｔｗｉｓｔｅｄ  Ｐａｉｒ）ケーブルに媒体変換するメディアコンバータが多く用いられる。特に、集合オフィスや集合住宅内では、メディアコンバータを含む多数の中継装置からなるネットワークが構築される。
この様なネットワークは、複数の会社や家庭によって共用されるため、管理作業の手間を省き、低い管理コストで管理可能であることが望ましい。
そこで本発明は、この様な課題を解決することを目的とする。
発明の開示
このような目的を達成するために、本発明の第１の形態によれば、外部のネットワークに接続される第１の中継装置と、前記第１の中継装置に接続される第２の中継装置と、前記第１の中継装置と、前記第２の中継装置とに接続され、前記第２の中継装置を管理する第１の管理装置とを備え、前記第１の中継装置は、前記外部のネットワークから前記第２の中継装置の管理を指示する管理コマンドを受信して、前記第１の管理装置に送信する第１の中継部を有し、前記第１の管理装置は、前記管理コマンドを、前記第１の中継装置から受信する第１の管理コマンド受信部を有することを特徴とする通信システムを提供する。
前記第２の中継装置は、前記第１の中継装置との接続に用いる第１の伝送媒体と、前記第１の伝送媒体と物理層が異なる伝送媒体である第２の伝送媒体との間で媒体変換を行う第２の中継部を有してもよい。
また、前記第２の中継装置は、前記第１の中継装置との接続に用いる第１の伝送媒体と、第２の伝送媒体との間の通信を中継する第２の中継部と、前記第１の伝送媒体又は前記第２の伝送媒体からの受信が切断状態となった場合に、前記第２の中継部による前記第１の伝送媒体及び前記第２の伝送媒体への送信を切断状態とする第１の中継禁止部を有してもよい。
また、前記第１の管理装置は、前記第１の中継装置と前記第２の中継装置の間の通信が切断状態となったかどうかを監視する監視部と、前記第１の中継装置と前記第２の中継装置の間の通信が切断状態となった場合に、前記第１の中継禁止部による前記第２の伝送媒体への送信の切断状態を解除させる中継再開部と、前記中継再開部が前記第１の中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、前記通信装置から前記通信状態取得メッセージに対する返信である通信状態返信メッセージを受信する返信メッセージ受信部とを有してもよい。
また、前記管理メッセージ送信部は、前記通信状態取得メッセージを前記第２の中継装置に送信し、前記第２の中継装置は、前記管理メッセージ送信部から受信した前記通信状態取得メッセージを、前記通信装置に送信してもよい。
また、前記管理メッセージ送信部は、前記通信状態取得メッセージを前記第１の中継装置に送信し、前記第１の中継装置内の前記第１の中継部は、前記管理メッセージ送信部から受信した前記通信状態取得メッセージを前記第２の中継装置に送信し、前記第２の中継装置内の前記第２の中継部は、前記第１の中継部から受信した前記通信状態取得メッセージを、前記通信装置に送信してもよい。
また、前記第２の中継装置に接続される第３の中継装置と、前記第１の管理装置に接続され、前記第３の中継装置を管理する第２の管理装置を更に備え、前記第２の管理装置は、前記第３の中継装置を管理する管理コマンドを、前記第１の管理装置から受信する第２の管理コマンド受信部を有してもよい。
また、前記第２の中継装置は、前記第１の中継装置との接続に用いる第１の伝送媒体と、前記第１の伝送媒体と物理層が異なる伝送媒体である第２の伝送媒体の間で媒体変換を行う第２の中継部を有し、前記第３の中継装置は、前記第２の中継装置との接続に用いる前記第２の伝送媒体と、前記第２の伝送媒体と物理層が異なる伝送媒体である第３の伝送媒体の間で媒体変換を行う第３の中継部を有してもよい。
前記第２の中継装置に接続され、前記第２の中継装置との接続に用いる前記第２の伝送媒体と、前記第２の伝送媒体と物理層が異なる伝送媒体である第３の伝送媒体の間で媒体変換を行う第３の中継装置を更に備え、前記第３の中継装置は、前記第２の伝送媒体又は前記第３の伝送媒体からの受信が切断状態となった場合に、前記第２の伝送媒体及び前記第３の伝送媒体への送信を切断状態とする中継禁止部と、前記第２の伝送媒体、前記第３の中継装置、及び前記第３の伝送媒体を含む通信経路の通信状態を取得する通信状態取得メッセージを、前記第２の伝送媒体から受信する管理メッセージ受信部と、前記通信状態取得メッセージの一部のフィールドを、前記第３の中継装置の通信状態を示す情報に変更し、前記通信状態取得メッセージと長さが等しい通信状態返信メッセージを生成する管理メッセージ変換部と、前記中継禁止部が前記第３の伝送媒体への送信を切断状態としている場合に、前記通信状態返信メッセージを、前記第２の伝送媒体を介して前記第１の管理装置宛に返信する管理メッセージ返信部とを更に有してもよい。
また、前記通信状態取得メッセージは、ＩＣＭＰ（Ｉｎｔｅｒｎｅｔ  Ｃｏｎｔｒｏｌ  Ｍｅｓｓａｇｅ  Ｐｒｏｔｏｃｏｌ）におけるエコーメッセージであり、前記通信状態返信メッセージは、ＩＣＭＰにおけるエコーリプライメッセージであり、前記管理メッセージ変換部は、前記通信状態返信メッセージを生成する場合に、前記通信状態取得メッセージである前記エコーメッセージのＩＰヘッダにおける送信元ＩＰアドレスと宛先ＩＰアドレスを入れ替え、前記エコーメッセージのデータフィールドの一部を前記第３の中継装置の通信状態を示す情報に変更してもよい。
また、本発明の第２の形態によれば、第１の伝送媒体と、第２の伝送媒体とを接続する中継装置であって、予め定められた条件が成立した場合に、前記第２の伝送媒体への送信を切断状態とする中継禁止部と、前記第１の伝送媒体、当該中継装置、及び前記第２の伝送媒体を含む通信路の通信状態を取得する通信状態取得メッセージを、前記第１の伝送媒体を介して受信する管理メッセージ受信部と、前記通信状態取得メッセージの一部のフィールドを、前記中継装置の通信状態を示す情報に変更し、前記通信状態取得メッセージと長さが等しい通信状態返信メッセージを生成する管理メッセージ変換部と、前記第２の伝送媒体への送信を切断状態としている場合に、前記通信状態返信メッセージを、前記第１の伝送媒体を介して返信する管理メッセージ返信部とを有することを特徴とする中継装置を提供する。
前記第２の伝送媒体は、前記第１の伝送媒体と物理層が異なる伝送媒体であり、前記中継装置は、前記第１の伝送媒体と、前記第２の伝送媒体の間で媒体変換を行う中継部を更に備えてもよい。
また、前記通信状態取得メッセージは、ＩＣＭＰ（Ｉｎｔｅｒｎｅｔ  Ｃｏｎｔｒｏｌ  Ｍｅｓｓａｇｅ  Ｐｒｏｔｏｃｏｌ）におけるエコーメッセージであり、前記通信状態返信メッセージは、ＩＣＭＰにおけるエコーリプライメッセージであり、前記管理メッセージ変換部は、前記通信状態返信メッセージを生成する場合に、前記通信状態取得メッセージである前記エコーメッセージのＩＰヘッダにおける送信元ＩＰアドレスと宛先ＩＰアドレスを入れ替え、前記エコーメッセージのデータフィールドの一部を前記中継装置の通信状態を示す情報に変更してもよい。
また、本発明の第３の形態によれば、外部のネットワークに接続される第１の中継装置と、前記第１の中継装置に接続される第２の中継装置と、前記第２の中継装置を管理する管理装置とを備える通信システムを管理する通信システム管理方法であって、前記管理装置は、前記第１の中継装置と、前記第２の中継装置とに接続され、前記第１の中継装置は、前記外部のネットワークから前記第２の中継装置の管理を指示する管理コマンドを受信して、前記管理装置に送信し、前記管理装置は、前記管理コマンドを、前記第１の中継装置から受信することを特徴とする通信システム管理方法を提供する。
また、本発明の第４の形態によれば、第１の伝送媒体と、第２の伝送媒体とを接続する中継装置を制御する中継装置制御方法であって、予め定められた条件が成立した場合に、前記第２の伝送媒体への送信を切断状態とし、前記第１の伝送媒体、前記中継装置、及び前記第２の伝送媒体を含む通信路の通信状態を取得する通信状態取得メッセージを、前記第１の伝送媒体を介して受信し、前記通信状態取得メッセージの一部のフィールドを、前記中継装置の通信状態を示す情報に変更し、前記通信状態取得メッセージと長さが等しい通信状態返信メッセージを生成し、前記第２の伝送媒体への送信を切断状態としている場合に、前記通信状態返信メッセージを、前記第１の伝送媒体を介して返信することを特徴とする中継装置制御方法を提供する。
また、本発明の第５の形態によれば、外部のネットワークに接続される第１の中継装置と、前記第１の中継装置に接続される第２の中継装置とを備える通信システムにおいて、前記第２の中継装置を管理する管理装置用のプログラムであって、前記第２の中継装置は、前記第１の中継装置との接続に用いる第１の伝送媒体と、第２の伝送媒体との間の通信を中継する中継部と、前記第１の伝送媒体又は前記第２の伝送媒体からの受信が切断状態となった場合に、前記中継部による前記第１の伝送媒体及び前記第２の伝送媒体への送信を切断状態とする中継禁止部を有し、当該プログラムは、前記管理装置を、前記第１の中継装置と前記第２の中継装置の間の通信が切断状態となったかどうかを監視する監視部と、前記第１の中継装置と前記第２の中継装置の間の通信が切断状態となった場合に、前記中継禁止部による前記第２の伝送媒体への送信の切断状態を解除させる中継再開部と、前記中継再開部が前記中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、前記通信装置から前記通信状態取得メッセージに対する返信である通信状態返信メッセージを受信する返信メッセージ受信部として動作させることを特徴とするプログラムを提供する。
また、本発明の第６の形態によれば、外部のネットワークに接続される第１の中継装置と、前記第１の中継装置に接続される第２の中継装置とを備える通信システムにおいて前記第２の中継装置を管理する管理装置用のプログラムを記録した記録媒体であって、前記第２の中継装置は、前記第１の中継装置との接続に用いる第１の伝送媒体と、第２の伝送媒体との間の通信を中継する中継部と、前記第１の伝送媒体又は前記第２の伝送媒体からの受信が切断状態となった場合に、前記中継部による前記第１の伝送媒体及び前記第２の伝送媒体への送信を切断状態とする中継禁止部を有し、前記プログラムは、前記管理装置を、前記第１の中継装置と前記第２の中継装置の間の通信が切断状態となったかどうかを監視する監視部と、前記第１の中継装置と前記第２の中継装置の間の通信が切断状態となった場合に、前記中継禁止部による前記第２の伝送媒体への送信の切断状態を解除させる中継再開部と、前記中継再開部が前記中継禁止部による前記第２の伝送媒体への切断状態を解除した場合に、前記第２の伝送媒体を介して前記第２の中継装置に接続される通信装置の通信状態を取得する通信状態取得メッセージを、前記通信装置宛に送信する管理メッセージ送信部と、前記通信装置から前記通信状態取得メッセージに対する返信である通信状態返信メッセージを受信する返信メッセージ受信部として動作させることを特徴とする記録媒体を提供する。
発明を実施するための最良の形態
以下、図面を参照して本発明の実施の形態の一例を説明する。
図１は、本発明の実施形態に係るグローバル通信システム１００の構成の一例を示す。本実施形態に係るグローバル通信システム１００は、通信システム１１０、リモート管理装置１２０、及びネットワーク１３０を備える。
通信システム１１０は、中継装置又は端末等の通信装置を複数有する集合オフィスや集合住宅等において、これらの通信装置を結合したネットワークシステムである。通信システム１１０は、中継装置１４０、メディアコンバータ１５０ａ、メディアコンバータ１５０ｂ、メディアコンバータ１５０ｃ、メディアコンバータ１６０ａ、メディアコンバータ１６０ｂ、メディアコンバータ１６０ｃ、端末１７０ａ、端末１７０ｂ、端末１７０ｃ、管理装置１８０、及び管理装置１９０を備える。
リモート管理装置１２０は、通信システム１１０を管理する。通信システム１１０の管理において、リモート管理装置１２０は、通信システム１１０の管理を指示する管理コマンドを、通信システム１１０内の管理装置１８０や管理装置１９０に送信し実行させる。本実施形態に係るリモート管理装置１２０は、この様な管理コマンドの一例として、通信システム１１０内の通信装置の通信状態を取得する通信状態取得コマンドを、通信システム１１０内の管理装置１８０や管理装置１９０へ送信する。通信システム１１０内の管理装置１８０や管理装置１９０は、通信状態取得コマンドを受信すると、通信システム１１０内の通信状態を示す情報を含む通信状態返信コマンドを、リモート管理装置１２０に返信する。リモート管理装置１２０は、通信状態返信コマンドを受けて、通信システム１１０の通信状態等を取得する。通信システム１１０及びリモート管理装置１２０は、通信状態取得コマンドに加え、例えば通信システム１１０内の通信装置のテストを指示する管理コマンド等をサポートしてもよい。また、通信システム１１０及びリモート管理装置１２０は、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）のＳＥＴ  ＲＥＱＵＥＳＴメッセージやＧＥＴ  ＲＥＱＵＥＳＴメッセージ等を用いて、管理コマンドを実現してもよい。更に、通信システム１１０内の管理装置１８０や管理装置１９０は、通信システム１１０内の通信に障害が発生した場合等に、例えばＳＮＭＰのトラップメッセージを用いて、リモート管理装置１２０に障害の発生等を通知してもよい。
ネットワーク１３０は、通信システム１１０とリモート管理装置１２０を接続する。ネットワーク１３０は、例えば、インターネット又は公衆電話網等の公衆通信網やローカルエリアネットワーク等のあらゆるネットワーク、又はこれらの組合せであってよい。
次に、本実施形態に係る通信システム１１０の構成について説明する。通信システム１１０は、中継装置１４０、メディアコンバータ１５０ａ、メディアコンバータ１５０ｂ、メディアコンバータ１５０ｃ、メディアコンバータ１６０ａ、メディアコンバータ１６０ｂ、メディアコンバータ１６０ｃ、端末１７０ａ、端末１７０ｂ、端末１７０ｃ、管理装置１８０、及び管理装置１９０を備える。
本実施形態に係るメディアコンバータ１５０ａ、メディアコンバータ１５０ｂ、及びメディアコンバータ１６０ｂは、本発明に係る第２の中継装置の一例である。本実施形態に係るメディアコンバータ１５０ｃ、メディアコンバータ１６０ａ、及びメディアコンバータ１６０ｃは、本発明に係る第３の中継装置及び通信装置の一例である。本実施形態に係る端末１７０ａ〜ｃは、本発明に係る通信装置の一例である。本実施形態に係るＵＴＰケーブル１４５ａ〜ｃは、本発明に係る第１の伝送媒体の一例である。本実施形態に係る光ファイバ１５５ａ〜ｃは、本発明に係る第２の伝送媒体の一例である。本実施形態に係るＵＴＰケーブル１６５ａ〜ｃは、本発明に係る第３の伝送媒体の一例である。ここで、メディアコンバータ１５０ａ〜メディアコンバータ１５０ｃ、及び／又はメディアコンバータ１６０ａ〜ｃは、メディアコンバータに代えて、２つの伝送媒体の間の通信を中継するリピータ、ハブ、スイッチ、ルータ、若しくはゲートウェイ等の中継装置であってもよい。
中継装置１４０は、ネットワーク１３０に接続される。中継装置１４０は、例えば、ハブ、スイッチ、ルータ、若しくはゲートウェイ等の中継機器、又はこれらの組合せであってよい。
中継装置１４０と端末１７０ａの間を接続する通信経路は、メディアコンバータ１５０ａ及びメディアコンバータ１５０ｃを含む。
メディアコンバータ１５０ａは、中継装置１４０に接続される。メディアコンバータ１５０ａは、中継装置１４０との接続に用いるＵＴＰケーブル１４５ａと、ＵＴＰケーブル１４５ａとは物理層が異なる伝送媒体である光ファイバ１５５ａとの間で媒体変換を行う。メディアコンバータ１５０ａは、管理用ケーブル１８５を介して管理装置１８０に接続され、管理装置１８０に管理される。
メディアコンバータ１５０ｃは、メディアコンバータ１５０ａに接続される。メディアコンバータ１５０ｃは、メディアコンバータ１５０ａとの接続に用いる光ファイバ１５５ａと、光ファイバ１５５ａとは物理層が異なる伝送媒体であるＵＴＰケーブル１６５ａとの間で媒体変換を行う。メディアコンバータ１５０ｃは、管理用ケーブル１９５を介して管理装置１９０に接続され、管理装置１９０に管理される。
中継装置１４０と端末１７０ｂの間を接続する通信経路は、メディアコンバータ１５０ｂ及びメディアコンバータ１６０ａを含む。
メディアコンバータ１５０ｂは、中継装置１４０に接続される。メディアコンバータ１５０ｂは、中継装置１４０との接続に用いるＵＴＰケーブル１４５ｂと、ＵＴＰケーブル１４５ｂとは物理層が異なる伝送媒体である光ファイバ１５５ｂとの間で媒体変換を行う。メディアコンバータ１５０ｂは、管理用ケーブル１８５を介して管理装置１８０に接続され、管理装置１８０に管理される。
メディアコンバータ１６０ａは、メディアコンバータ１５０ｂに接続される。メディアコンバータ１６０ａは、メディアコンバータ１５０ｂとの接続に用いる光ファイバ１５５ｂと、光ファイバ１５５ｂとは物理層が異なる伝送媒体であるＵＴＰケーブル１６５ｂとの間で媒体変換を行う。メディアコンバータ１６０ｂは、管理装置に接続するためのポートを持たず、メディアコンバータ１５０ｂを介して管理装置１８０に管理される。
中継装置１４０と端末１７０ｃの間を接続する通信経路は、メディアコンバータ１６０ｂ及びメディアコンバータ１６０ｃを含む。
メディアコンバータ１６０ｂは、中継装置１４０に接続される。メディアコンバータ１６０ｂは、中継装置１４０との接続に用いるＵＴＰケーブル１４５ｃと、ＵＴＰケーブル１４５ｃとは物理層が異なる伝送媒体である光ファイバ１５５ｃとの間で媒体変換を行う。メディアコンバータ１６０ｂは、管理装置に接続するためのポートを持たず、中継装置１４０を介して管理装置１８０に管理される。
メディアコンバータ１６０ｃは、メディアコンバータ１６０ｂに接続される。メディアコンバータ１６０ｃは、メディアコンバータ１６０ｂとの接続に用いる光ファイバ１５５ｃと、光ファイバ１５５ｃとは物理層が異なる伝送媒体であるＵＴＰケーブル１６５ｃとの間で媒体変換を行う。メディアコンバータ１６０ｃは、管理装置に接続するためのポートは持たず、中継装置１４０及びメディアコンバータ１６０ｂを介して管理装置１８０に管理される。
端末１７０ａ〜ｃは、それぞれメディアコンバータ１５０ｃ、メディアコンバータ１６０ａ、メディアコンバータ１６０ｃに接続される。端末１７０ａは、中継装置１４０、メディアコンバータ１５０ａ、及びメディアコンバータ１５０ｃを介してネットワーク１３０との間でデータの授受を行う。同様に、端末１７０ｂ及び端末１７０ｃは、それぞれ中継装置１４０とメディアコンバータ１５０ｂとメディアコンバータ１６０ａ、及び中継装置１４０とメディアコンバータ１６０ｂとメディアコンバータ１６０ｃを介してネットワーク１３０との間でデータの授受を行う。
本実施形態においては、説明の便宜上ＵＴＰケーブル１４５ａ〜ｃ及びＵＴＰケーブル１６５ａ〜ｃは、それぞれ１００ＢＡＳＥ−ＴＸ、光ファイバ１５５ａ〜ｃは１００ＢＡＳＥ−ＦＸに基づくことを前提とする。これに代えて、ＵＴＰケーブル１４５ａ〜ｃ、光ファイバ１５５ａ〜ｃ、及びＵＴＰケーブル１６５ａ〜ｃは、他のイーサネット規格等に基づく伝送媒体であってもよい。
管理装置１８０は、中継装置１４０と、メディアコンバータ１５０ａ及びメディアコンバータ１５０ｂとに接続され、メディアコンバータ１５０ａ、メディアコンバータ１５０ｂ、メディアコンバータ１６０ａ、メディアコンバータ１６０ｂ、及びメディアコンバータ１６０ｃを管理する。本実施形態に係る管理装置１８０は、中継装置１４０を介してリモート管理装置１２０から管理コマンドを受信して、管理コマンドの指示に従いメディアコンバータ１５０ａ〜ｂ、及びメディアコンバータ１６０ａ〜ｃを管理する。
管理装置１９０は、管理装置１８０に接続され、メディアコンバータ１５０ｃを管理する。本実施形態に係る管理装置１９０は、管理装置１８０から管理コマンドを受信して、管理コマンドの指示に従いメディアコンバータ１５０ｃを管理する。
具体的には、管理装置１８０及び管理装置１９０は、通信システム１１０内の通信装置の管理を指示する管理コマンドを受信すると、管理コマンドの指示に基づき管理対象の通信装置に対する管理を行う。管理装置１８０及び管理装置１９０は、管理対象の通信装置を管理するために、当該通信装置に対して管理メッセージを送信する。本実施形態に係る管理装置１８０及び管理装置１９０は、管理メッセージとして、管理装置１８０及び管理装置１９０に管理される通信装置の通信状態を取得する通信状態取得メッセージ、及びメディアコンバータ１５０ａ〜ｃやメディアコンバータ１６０ａ〜ｃによる中継の許可又は禁止等を指示する中継設定メッセージをサポートする。管理装置１８０及び／又は管理装置１９０は、例えばＳＮＭＰ（Ｓｉｍｐｌｅ  Ｎｅｔｗｏｒｋ  Ｍａｎａｇｅｍｅｎｔ  Ｐｒｏｔｏｃｏｌ）のＳＥＴ  ＲＥＱＵＥＳＴメッセージやＧＥＴ  ＲＥＱＵＥＳＴメッセージ等を用いて、管理メッセージを実現してもよい。また、管理装置１８０及び／又は管理装置１９０は、管理対象の通信装置に障害が発生した場合等に、例えばＳＮＭＰのトラップメッセージを用いて、リモート管理装置１２０に障害の発生等を通知してもよい。
図２は、本発明の実施形態に係る中継装置１４０の構成の一例を示す。本実施形態に係る中継装置１４０は、中継機器２００ａ、中継機器２００ｂ、及び中継機器２００ｃを有する。本実施形態に係る中継機器２００ａ、中継機器２００ｂ、及び中継機器２００ｃの組合せは、本発明に係る第１の中継部の一例である。
中継機器２００ａは、ネットワーク１３０と、ＵＴＰケーブル１７５と、中継機器２００ｂと、中継機器２００ｃとを接続する、ルータ又はゲートウェイ等の中継機器である。中継機器２００ａは、メディアコンバータ１５０ａ〜ｃやメディアコンバータ１６０ａ〜ｃ等の管理を指示する管理コマンドを通信システム１１０から受信し、管理装置１８０に送信する。中継機器２００ｂは、中継機器２００ａと、ＵＴＰケーブル１４５ａとを接続する、スイッチ又はルータ等の中継機器である。中継機器２００ｃは、中継機器２００ａと、ＵＴＰケーブル１４５ｂと、ＵＴＰケーブル１４５ｃとを接続する、スイッチ又はルータ等の中継機器である。
図３は、本発明の実施形態に係るメディアコンバータ１５０ａの構成を示す。ここで、本実施形態に係るメディアコンバータ１５０ｂ及びメディアコンバータ１５０ｃは、メディアコンバータ１５０ａと略同様の構成を取るため、説明を省略する。
本実施形態に係るメディアコンバータ１５０ａは、ＰＨＹ３００ａ、ＰＨＹ３００ｂ、ＭＣ中継部３１０、通信状態保持部３２０、中継禁止部３３０、管理メッセージ受信部３４０、ＭＣ管理部３５０、及び管理メッセージ返信部３６０を有する。本実施形態に係るＰＨＹ３００ａ、ＰＨＹ３００ｂ、及びＭＣ中継部３１０の組合せは、本発明に係る第２の中継部又は第２の中継装置内の中継部の一例である。
ＰＨＹ３００ａは、１００ＢＡＳＥ−ＴＸ規格に基づくＵＴＰケーブル１４５ａとＭＣ中継部３１０とを接続する物理層デバイス（Ｐｈｙｓｉｃａｌ  Ｌａｙｅｒ  Ｄｅｖｉｃｅ）である。ＰＨＹ３００ａは、ＵＴＰケーブル１４５ａと、ＩＥＥＥ８０２．３に基づくＭＩＩ（Ｍｅｄｉａ  Ｉｎｄｅｐｅｎｄｅｎｔ  Ｉｎｔｅｒｆａｃｅ）との間の変換を行い、ＭＩＩを介してＭＣ中継部３１０に接続される。
ＰＨＹ３００ｂは、１００ＢＡＳＥ−ＦＸ規格に基づく光ファイバ１５５ａとＭＣ中継部３１０とを接続する物理層デバイスである。ＰＨＹ３００ｂは、光ファイバ１５５ａとＩＥＥＥ８０２．３に基づくＭＩＩとの間の変換を行い、ＭＩＩを介してＭＣ中継部３１０に接続される。
ＭＣ中継部３１０は、ＰＨＹ３００ａとＰＨＹ３００ｂの間の通信の中継を行う。また、ＭＣ中継部３１０は、中継禁止部３３０からの指示に基づきＰＨＹ３００ａとＰＨＹ３００ｂの間の通信を禁止する。更に、ＭＣ中継部３１０は、ＭＣ管理部３５０から入力される管理用メッセージをＰＨＹ３００ａ又はＰＨＹ３００ｂを介して他の通信装置に送信し、他の通信装置から受信した管理用メッセージをＭＣ管理部３５０に出力する。ここで、本実施形態に係るＭＣ中継部３１０は、ＰＨＹ３００ａとＰＨＹ３００ｂの間の通信が禁止されている場合においても、管理メッセージに対する返信メッセージの中継は禁止しないものとする。これにより、メディアコンバータ１５０ａは、中継の禁止の設定によらず、返信メッセージを管理装置１８０に転送することができる。
ＰＨＹ３００ａ、ＰＨＹ３００ｂ、及びＭＣ中継部３１０は、中継装置１４０との接続に用いるＵＴＰケーブル１４５ａと、光ファイバ１５５ａとの間の通信を中継する。また、ＰＨＹ３００ａ、ＰＨＹ３００ｂ、及びＭＣ中継部３１０は、中継装置１４０との接続に用いるＵＴＰケーブル１４５ａと、ＵＴＰケーブル１４５ａと物理層が異なる伝送媒体である光ファイバ１５５ａとの間で媒体変換を行う。
通信状態保持部３２０は、ＰＨＹ３００ａ及びＰＨＹ３００ｂの通信状態を取得し、保持する。通信状態保持部３２０は、ＰＨＹ３００ａ及びＰＨＹ３００ｂの通信状態に加え、メディアコンバータ１５０ａ内の障害有無等を示す情報を通信状態として保持してもよい。
中継禁止部３３０は、通信状態保持部３２０に保持された通信状態に関する情報を参照し、ＭＣ中継部３１０を制御してＵＴＰケーブル１４５ａと光ファイバ１５５ａの間の中継を許可又は禁止する。具体的には、中継禁止部３３０は、ＵＴＰケーブル１４５ａ又は光ファイバ１５５ａからの受信が切断状態となった場合に、ＰＨＹ３００ａによるＵＴＰケーブル１４５ａへの送信、及びＰＨＹ３００ｂによる光ファイバ１５５ａへの送信を切断状態とする。ここで、ＰＨＹ３００ａは、ＵＴＰケーブル１４５ａへのデータの送信、及びデータを送信しない場合におけるアイドル信号の送信を禁止して、ＵＴＰケーブル１４５ａに対する切断状態を実現する。ＰＨＹ３００ｂは、ＰＨＹ３００ａと同様にして、光ファイバ１５５ａに対する切断状態を実現する。
管理メッセージ受信部３４０は、管理装置１８０が送信する管理メッセージを受信する。
ＭＣ管理部３５０は、管理メッセージ受信部３４０が受信した管理メッセージに基づき管理作業を行う。すなわち、メディアコンバータ１５０ａ宛の通信状態取得メッセージを受信した場合、ＭＣ管理部３５０は、通信状態保持部３２０からメディアコンバータ１５０ａの通信状態を取得して通信状態返信メッセージを生成し、管理メッセージ返信部３６０を介して管理装置１８０に返信する。また、メディアコンバータ１５０ａ宛の中継設定メッセージを受信した場合、ＭＣ管理部３５０は、通信状態保持部３２０内に格納された通信状態を示す情報にＰＨＹ３００ａ及び／又はＰＨＹ３００ｂの中継許可又は禁止を設定し、中継禁止部３３０に中継を許可又は禁止させる。また、メディアコンバータ１５０ａ宛以外の管理メッセージを受信した場合、ＭＣ管理部３５０は、ＭＣ中継部３１０を介して受信した管理メッセージをＵＴＰケーブル１４５ａ又は光ファイバ１５５ａに送信し、対象の通信装置に対して転送する。
管理メッセージ返信部３６０は、ＭＣ管理部３５０の指示に基づき、管理メッセージに対する返信メッセージを送信する。
図４は、本発明の実施形態に係る通信状態保持部３２０の一例を表形式により示す。本実施形態に係る通信状態保持部３２０は、ポートフィールド及び状態フィールドを含む。
ポートフィールドは、通信状態保持部３２０に保持される通信状態を、メディアコンバータ１５０ａに対する入力又は出力を行うポートに分類するためのフィールドである。通信状態保持部３２０に保持される通信状態は、ポートフィールドによって、ＵＴＰケーブル１４５ａ側の入力ポート、ＵＴＰケーブル１４５ａ側の出力ポート、光ファイバ１５５ａ側の入力ポート、及び光ファイバ１５５ａ側の出力ポートのいずれかに分類される。
状態フィールドは、ポートフィールドで指定された箇所の通信状態を保持するフィールドである。通信状態保持部３２０は、入力ポートに関する状態フィールドの値として、データ信号かアイドル信号を正常に受信していることを示す”正常状態”、又はデータ信号やアイドル信号を正常に受信していないことを示す”切断状態”のいずれかを設定する。また、通信状態保持部３２０は、出力ポートに関する状態フィールドの値として、中継禁止部３３０による送信の許可若しくは禁止、及び管理装置１８０による送信の許可、禁止、若しくは無指定を設定する。ＭＣ中継部３１０は、中継禁止部３３０による送信の許可又は禁止の指定に優先して、管理装置１８０による送信の許可又は禁止の設定を行う。
本実施形態に係る図４においては、ＵＴＰケーブル１４５ａからの受信は正常状態であり、光ファイバ１５５ａからの受信は切断状態である。この場合、中継禁止部３３０は、通信状態保持部３２０からＵＴＰケーブル１４５ａ及び光ファイバ１５５ａの通信状態を取得して、光ファイバ１５５ａからの受信が切断状態となっていることを検出する。そして、中継禁止部３３０は、ＵＴＰケーブル１４５ａ及び光ファイバ１５５ａへの送信を禁止し、切断状態とする。一方、通信状態保持部３２０は、中継設定メッセージを受信していないか、又は中継設定メッセージにより中継の設定を無指定とされたことから、管理装置１８０による中継の設定を無指定としている。
図５は、本発明の実施形態に係る管理装置１８０の構成を示す。ここで、本実施形態に係る管理装置１９０は、管理装置１８０と略同様の構成を取るため、説明を省略する。本実施形態に係る管理装置１８０は、管理コマンド受信部５００、制御部５１０、管理コマンド返信部５２０、管理コマンド送信部５３０、返信コマンド受信部５４０、監視部５５０、中継再開部５６０、管理メッセージ送信部５７０、及び返信メッセージ受信部５８０を有する。
管理コマンド受信部５００は、リモート管理装置１２０が管理装置１８０及び／又は管理装置１９０宛に送信した管理コマンドを、中継装置１４０から受信する。
制御部５１０は、管理コマンドに基づき、管理対象の通信装置の管理を行う。すなわち、通信状態取得コマンドを受信した場合、管理装置１８０は、メディアコンバータ１５０ａ、メディアコンバータ１５０ｂ、メディアコンバータ１６０ａ、メディアコンバータ１６０ｂ、及びメディアコンバータ１６０ｃ宛に通信状態取得メッセージを送信し、これらの通信状態を取得する。また、管理装置１８０は、管理装置１９０に対して通信状態取得コマンドを転送し、メディアコンバータ１５０ｃの通信状態を管理装置１９０に取得させる。そして、管理装置１８０は、取得した通信状態を、通信状態返信コマンドとしてリモート管理装置１２０宛に返信する。また、管理装置１８０は、必要に応じて中継設定メッセージを通信装置に送信し、通信状態取得メッセージが管理対象の通信装置に届く様通信システム１１０内の各通信装置を設定する。
管理コマンド返信部５２０は、制御部５１０の指示に基づき管理メッセージに対する返信メッセージをリモート管理装置１２０宛に送信する。
管理コマンド送信部５３０は、制御部５１０の指示に基づき管理コマンドを管理装置１９０に転送する。
返信コマンド受信部５４０は、制御部５１０が転送した管理コマンドに対する管理装置１９０の返信コマンドを受信する。
監視部５５０は、例えば定期的に通信状態取得メッセージをメディアコンバータ１５０ａ、メディアコンバータ１５０ｂ、及び／又はメディアコンバータ１６０ｂに送信して、これらの中継装置から通信状態返信メッセージを受信して通信状態を取得する。そして、監視部５５０は、取得した通信状態に基づき、中継装置１４０と、メディアコンバータ１５０ａ、メディアコンバータ１５０ｂ、及び／又はメディアコンバータ１６０ｂとの間の通信が切断状態になったかどうかを監視する。更に、監視部５５０は、中継装置１４０と、メディアコンバータ１５０ａ、メディアコンバータ１５０ｂ、又はメディアコンバータ１６０ｂのいずれかの間の通信が切断状態となった場合、制御部５１０に通知する。制御部５１０は、この通知を受けて、通信システム１１０内の各通信装置に管理メッセージを発行し、通信システム１１０内の障害箇所を特定する障害検査処理を行う。
中継再開部５６０は、制御部５１０の障害検査処理において、メディアコンバータ１５０ｂから光ファイバ１５５ａへの送信の切断状態、又はメディアコンバータ１６０ｂから光ファイバ１５５ｃへの送信の切断状態を解除させる。例えば、中継再開部５６０は、制御部５１０から指示を受けて、メディアコンバータ１５０ｂに中断設定メッセージを送信し、メディアコンバータ１５０ｂ内の中継禁止部３３０に相当する部材によって設定された切断状態を解除させる。これにより、制御部５１０は、メディアコンバータ１６０ａの通信状態を取得する通信状態取得メッセージを、光ファイバ１５５ｂを介してメディアコンバータ１６０ａ宛に送信することができる。
管理メッセージ送信部５７０は、制御部５１０、監視部５５０、又は中継再開部５６０がメディアコンバータ１５０ａ、メディアコンバータ１５０ｂ、又はメディアコンバータ１６０ａに対して送信する管理メッセージを、ＵＴＰケーブル１７５又は管理用ケーブル１８５に送信する。
返信メッセージ受信部５８０は、制御部５１０、監視部５５０、又は中継再開部５６０が管理メッセージ送信部５７０を介して送信した管理メッセージに対する返信メッセージ等を受信する。
図６は、本発明の実施形態に係る管理装置１８０及び管理装置１９０によるメディアコンバータ１５０ａ及びメディアコンバータ１５０ｃの監視処理のシーケンスを示す。
まず、リモート管理装置１２０は、通信状態取得コマンドを、ネットワーク１３０を介して中継装置１４０へ送信する（Ｓ６００）。次に、中継装置１４０は、リモート管理装置１２０から受信した通信状態取得コマンドを、ＵＴＰケーブル１７５を介して管理装置１８０に送信する（Ｓ６０５）。そして、管理装置１８０内の管理コマンド受信部５００は、通信状態取得コマンドを、中継装置１４０から受信する（Ｓ６１０）。
通信状態取得コマンドを受信すると、管理装置１８０内の制御部５１０は、管理装置１９０が管理するメディアコンバータ１５０ｃの通信状態を取得する通信状態取得コマンドを、管理コマンド送信部５３０を介して管理装置１９０に送信する（Ｓ６１５）。管理装置１９０は、管理装置１８０が送信した通信状態取得コマンドを、ＵＴＰケーブル１８７を介して受信する（Ｓ６２０）。そして、管理装置１９０は、メディアコンバータ１５０ｃの通信状態を取得するため、通信状態取得メッセージを、メディアコンバータ１５０ｃに送信する（Ｓ６２５）。
メディアコンバータ１５０ｃ内のＭＣ管理部３５０は、管理メッセージ受信部３４０を介して管理装置１９０から通信状態取得メッセージを受信すると、メディアコンバータ１５０ｃ内の通信状態保持部３２０から通信状態を取得して通信状態返信メッセージを生成し、管理メッセージ返信部３６０を介して管理装置１９０へ送信する（Ｓ６３０）。管理装置１９０は、メディアコンバータ１５０ｃから通信状態返信メッセージを受信し（Ｓ６３５）、管理装置１８０から受信した通信状態取得コマンドの返信である通信状態返信コマンドを、管理装置１８０へ返信する（Ｓ６４０）。ここで、Ｓ６４０で管理装置１９０が送信する通信状態返信コマンドは、メディアコンバータ１５０ｃの通信状態を示す情報を含む。
一方、Ｓ６１５の後、管理装置１８０は、メディアコンバータ１５０ａの通信状態を取得するため、通信状態取得メッセージを、管理メッセージ送信部５７０を介してメディアコンバータ１５０ａに送信する（Ｓ６４５）。
メディアコンバータ１５０ａ内のＭＣ管理部３５０は、管理メッセージ受信部３４０を介して管理装置１８０から通信状態取得メッセージを受信すると、メディアコンバータ１５０ａ内の通信状態保持部３２０から通信状態を取得して通信状態返信メッセージを生成し、管理メッセージ返信部３６０を介して管理装置１８０へ送信する（Ｓ６５０）。そして、管理装置１８０内の制御部５１０は、返信メッセージ受信部５８０を介してメディアコンバータ１５０ａから通信状態返信メッセージを受信し（Ｓ６５５）、リモート管理装置１２０から受信した通信状態取得コマンドの返信である通信状態返信コマンドを、管理コマンド返信部５２０を介して中継装置１４０に返信する（Ｓ６６０）。ここで、Ｓ６６０で管理装置１８０が送信する通信状態返信コマンドは、メディアコンバータ１５０ａから受信したメディアコンバータ１５０ａの通信状態を示す情報、及び管理装置１９０から受信したメディアコンバータ１５０ｃの通信状態を示す情報を含む。
中継装置１４０は、管理装置１８０から受信した通信状態返信コマンドをネットワーク１３０を介してリモート管理装置１２０に送信する（Ｓ６６５）。以上の処理の結果、リモート管理装置１２０は、通信状態返信コマンドを受信する（Ｓ６７０）。
以上に示した通り、本実施形態に係る管理装置１８０及び管理装置１９０は、協働してメディアコンバータ１５０ａ及びメディアコンバータ１５０ｃの監視処理を行うことができる。ここで、管理装置１８０及び管理装置１９０は、中継装置１４０と端末１７０ａとの間の通信経路とは異なる通信経路である管理用ケーブル１８５及び管理用ケーブル１９５をそれぞれ用いて、対応するメディアコンバータ１５０ａ及びメディアコンバータ１５０ｃの監視処理を行うことができる。従って、中継装置１４０と端末１７０ａとの間の通信経路に障害が発生した場合においても、メディアコンバータ１５０ａ及びメディアコンバータ１５０ｃの管理を行うことができる。また、管理装置１８０は、リモート管理装置１２０から管理コマンドを受信し、管理装置１９０に対して管理の指示を行う。このため、リモート管理装置１２０は、管理装置１８０に対して管理を指示することにより、通信システム１１０内の通信装置の管理を行うことができる。
なお、メディアコンバータ１５０ａ及びメディアコンバータ１５０ｃによる通信経路と略同一の通信経路が複数存在する場合、管理装置１８０は、メディアコンバータ１５０ａに相当する複数の中継装置を管理し、管理装置１９０はメディアコンバータ１５０ｃに相当する複数の中継装置を管理してもよい。
図７は、本発明の実施形態に係るメディアコンバータ１６０ａの構成を示す。ここで、本実施形態に係るメディアコンバータ１６０ｂ及びメディアコンバータ１６０ｃは、メディアコンバータ１６０ａと略同様の構成を取るため、説明を省略する。
本実施形態に係るメディアコンバータ１６０ａは、ＰＨＹ３００ａ、ＰＨＹ３００ｂ、通信状態保持部３２０、中継禁止部３３０、及びＭＣ中継部７１０を有する。
メディアコンバータ１６０ａ内のＰＨＹ３００ａ、ＰＨＹ３００ｂ、通信状態保持部３２０、及び中継禁止部３３０は、メディアコンバータ１５０ａ内のＰＨＹ３００ｂ、ＰＨＹ３００ａ、通信状態保持部３２０、及び中継禁止部３３０とそれぞれ略同様の機能を備える。
ＭＣ中継部７１０は、ＰＨＹ３００ａとＰＨＹ３００ｂの間の通信の中継を行う。また、ＭＣ中継部７１０は、管理装置１８０からの中断設定メッセージによる指示及び／又は中継禁止部３３０からの指示に基づきＰＨＹ３００ａとＰＨＹ３００ｂの間の通信を禁止する。更に、ＭＣ中継部７１０は、ＰＨＹ３００ｂからの送信が禁止されている場合に、ＰＨＹ３００ａから受信した通信状態取得メッセージを変換し、通信状態返信メッセージとしてＰＨＹ３００ａを介して返信する。同様に、ＭＣ中継部７１０は、ＰＨＹ３００ａからの送信が禁止されている場合に、ＰＨＹ３００ｂから受信した通信状態取得メッセージを変換し、通信状態返信メッセージとしてＰＨＹ３００ｂを介して返信する。
図８は、本発明の実施形態に係るＭＣ中継部７１０の構成を示す。本実施形態に係るＭＣ中継部７１０は、ＦＩＦＯキュー８００ａ、ＦＩＦＯキュー８００ｂ、管理メッセージ受信部８１０ａ、管理メッセージ受信部８１０ｂ、管理メッセージ変換部８２０ａ、管理メッセージ変換部８２０ｂ、管理メッセージ返信部８３０ａ、管理メッセージ返信部８３０ｂ、マルチプレクサ８４０ａ、及びマルチプレクサ８４０ｂを含む。本実施形態に係るＰＨＹ３００ａ、ＰＨＹ３００ｂ、ＦＩＦＯキュー８００ａ、マルチプレクサ８４０ａ、ＦＩＦＯキュー８００ｂ、及びマルチプレクサ８４０ｂの組合せは、本発明に係る中継部の一例である。
本実施形態に係るＦＩＦＯキュー８００ａとＦＩＦＯキュー８００ｂ、管理メッセージ受信部８１０ａと管理メッセージ受信部８１０ｂ、管理メッセージ変換部８２０ａと管理メッセージ変換部８２０ｂ、管理メッセージ返信部８３０ａと管理メッセージ返信部８３０ｂ、及びマルチプレクサ８４０ａとマルチプレクサ８４０ｂは、それぞれ略同一の構成を取る。このため、本実施形態においては、ＦＩＦＯキュー８００ａ、管理メッセージ受信部８１０ａ、管理メッセージ変換部８２０ａ、管理メッセージ返信部８３０ａ、及びマルチプレクサ８４０ａについて説明を行う。
ＦＩＦＯキュー８００ａは、ＰＨＹ３００ａから受信したパケットを一時的に格納する先入れ先出し（Ｆｉｒｓｔ  Ｉｎ  Ｆｉｒｓｔ  Ｏｕｔ）バッファである。管理メッセージ受信部８１０ａは、ＦＩＦＯキュー８００ａが受信した管理メッセージを取得し管理メッセージ変換部８２０ａに転送する。管理メッセージ変換部８２０ａは、管理メッセージ受信部８１０ａから管理メッセージを受信すると、管理メッセージに対応する処理を行うと共に、管理メッセージに対する返信メッセージを生成する。ここで、管理メッセージ変換部８２０ａは、管理メッセージの一部のフィールドを変更し、管理メッセージと長さが等しい返信メッセージを生成する。管理メッセージ返信部８３０ａは、管理メッセージ変換部８２０ａが生成した返信メッセージをマルチプレクサ８４０ａに送信する。マルチプレクサ８４０ａは、ＵＴＰケーブル１６５ｂ及びＰＨＹ３００ｂを介してＦＩＦＯキュー８００ｂから入力されるパケットと、管理メッセージ返信部８３０ａが送信する返信メッセージのいずれをＰＨＹ３００ａに出力するかを選択する。本実施形態に係るマルチプレクサ８４０ａは、管理装置１８０によってＵＴＰケーブル１６５ｂへの送信が禁止されている場合、又は中継禁止部３３０によってＵＴＰケーブル１６５ｂへの送信が禁止されている場合に、管理メッセージ返信部８３０ａが送信する返信メッセージをＰＨＹ３００ａに出力する。
ここで、本実施形態に係るＭＣ中継部７１０は、ＰＨＹ３００ａとＰＨＹ３００ｂの間の通信が禁止されている場合においても、管理メッセージに対する返信メッセージの中継は禁止しないものとする。これにより、メディアコンバータ１６０ａは、中継の禁止の設定によらず、返信メッセージを管理装置１８０に転送することができる。
以上に示した通り、管理メッセージ返信部８３０ａは、ＵＴＰケーブル１６５ｂへの送信が切断状態となっている場合に、通信状態返信メッセージ等の返信メッセージを、光ファイバ１５５ｂを介して返信する。これにより、メディアコンバータ１６０ａは、通常状態において中継装置１４０から１７０ｂに至る伝送媒体の一部として動作する一方、切断状態において管理装置１８０からの管理メッセージに対する返信メッセージを送信することができる。従って、メディアコンバータ１６０ａは、切断状態において、管理装置１８０からの指示に基づき管理を受けることができる。
ここで、メディアコンバータ１６０ａは、通常状態において管理メッセージを受信した場合に、ＵＴＰケーブル１６５ｂから光ファイバ１５５ｂへのパケットの中継を行わないタイミングで返信メッセージを送信してもよい。あるいは、メディアコンバータ１６０ａは、通常状態において管理メッセージを受信した場合に、ＵＴＰケーブル１６５ｂへの送信を切断状態とした後に、返信メッセージを送信してもよい。
図９は、本発明の実施形態に係る通信状態取得メッセージ及び通信状態返信メッセージのフォーマットの一例を示す。本実施形態に係る通信状態取得メッセージは、ＩＰヘッダ９００ａ及びエコーメッセージ部９３０を有するＩＣＭＰエコーメッセージである。
ＩＰヘッダ９００ａは、ＩＰプロトコルに従い通信状態取得メッセージを配送するためのヘッダ情報である。ＩＰヘッダ９００ａは、送信元ＩＰアドレス９１０ａ及び宛先ＩＰアドレス９２０ａを含む。送信元ＩＰアドレス９１０ａは、通信状態取得メッセージの送信元を識別するＩＰアドレスを保持する。宛先ＩＰアドレス９２０ａは、通信状態取得メッセージの宛先を識別するＩＰアドレスを保持する。図９に示した送信元ＩＰアドレス９１０ａ及び宛先ＩＰアドレス９２０ａは、当該通信状態取得メッセージが、管理装置１８０から端末１７０ｂ宛に送信したパケットであることを示す。
エコーメッセージ部９３０は、ＩＣＭＰエコーメッセージの内容を保持する。エコーメッセージ部９３０は、タイプ部９５０ａ、コード部９６０ａ、チェックサム部９７０ａ、及びデータ部９８０ａを含む。本実施形態に係るデータ部９８０ａは、本発明に係るエコーメッセージのデータフィールドの一例である。
タイプ部９５０ａ及びコード部９６０ａは、ＩＣＭＰメッセージのメッセージタイプを識別するための情報である。本実施形態に係るタイプ部９５０ａ及びコード部９６０ａは、通信状態取得メッセージがＩＣＭＰエコーメッセージ（Ｔｙｐｅ＝８、Ｃｏｄｅ＝０）であることを示す。チェックサム部９７０ａは、エコーメッセージ部９３０のチェックサムを保持する。データ部９８０ａは、ＩＣＭＰエコーメッセージのデータを保持する。
メディアコンバータ１６０ａは、ＵＴＰケーブル１６５ｂへの送信が切断状態である場合に管理装置１８０が端末１７０ｂ宛に送信した通信状態取得メッセージを受信すると、当該通信状態取得メッセージをメディアコンバータ１６０ａの通信状態を示す情報を含む通信状態返信メッセージに変換し、管理装置１８０宛に返信する。同様に、メディアコンバータ１６０ｂ及びメディアコンバータ１６０ｃは、送信が切断状態である場合に管理装置１８０が端末１７０ｃ宛に送信した通信状態取得メッセージを受信すると、当該通信状態取得メッセージを当該中継装置の通信状態を示す情報を含む通信状態返信メッセージに変換し、管理装置１８０宛に返信する。
本実施形態に係る通信状態返信メッセージは、ＩＰヘッダ９００ｂ及びエコーリプライメッセージ部９４０を有するＩＣＭＰエコーリプライメッセージである。
ＩＰヘッダ９００ｂは、ＩＰプロトコルに従い通信状態返信メッセージを配送するためのヘッダ情報である。ＩＰヘッダ９００ｂは、送信元ＩＰアドレス９１０ｂ及び宛先ＩＰアドレス９２０ｂを含む。送信元ＩＰアドレス９１０ｂは、通信状態返信メッセージの送信元を識別するＩＰアドレスを保持する。宛先ＩＰアドレス９２０ｂは、通信状態返信メッセージの宛先を識別するＩＰアドレスを保持する。図９に示した送信元ＩＰアドレス９１０ｂ及び宛先ＩＰアドレス９２０ｂは、当該通信状態返信メッセージが、端末１７０ｂから管理装置１８０宛に送信したパケットであることを示す。メディアコンバータ１６０ａ内の通信状態保持部３２０は、通信状態返信メッセージを生成する場合に、通信状態取得メッセージであるＩＣＭＰエコーメッセージのＩＰヘッダ９００ａにおける送信元ＩＰアドレス９１０ａと宛先ＩＰアドレス９２０ａを入れ替えて送信元ＩＰアドレス９１０ｂと宛先ＩＰアドレス９２０ｂに格納する。
エコーリプライメッセージ部９４０は、ＩＣＭＰエコーリプライメッセージの内容を保持する。エコーリプライメッセージ部９４０は、タイプ部９５０ｂ、コード部９６０ｂ、チェックサム部９７０ｂ、及びデータ部９８０ｂを含む。タイプ部９５０ｂ及びコード部９６０ｂは、ＩＣＭＰメッセージのメッセージタイプを識別するための情報である。本実施形態に係るタイプ部９５０ｂ及びコード部９６０ｂは、通信状態返信メッセージがＩＣＭＰエコーリプライメッセージ（Ｔｙｐｅ＝０、Ｃｏｄｅ＝０）であることを示す。チェックサム部９７０ｂは、エコーリプライメッセージ部９４０のチェックサムを保持する。
データ部９８０ｂは、ＩＣＭＰエコーリプライメッセージのデータを保持する。データ部９８０ｂは、機器識別情報９９０及び通信状態情報９９５を含む。機器識別情報９９０は、メディアコンバータ１６０ａを識別する情報である。機器識別情報９９０は、例えば製造元の企業が製品に対して一意に割り当てた製造元の機器識別番号等であってよい。通信状態情報９９５は、メディアコンバータ１６０ａの通信状態を示す情報である。メディアコンバータ１６０ａ内の通信状態保持部３２０は、通信状態返信メッセージを生成する場合に、通信状態取得メッセージであるＩＣＭＰエコーメッセージのデータ部９８０ａの一部を、機器識別情報９９０及び通信状態情報９９５に変更してデータ部９８０ｂに格納する。また、メディアコンバータ１６０ａ内の通信状態保持部３２０は、変更したエコーリプライメッセージ部９４０の内容に応じたチェックサムを生成し、チェックサム部９７０ｂに格納する。
以上に示した通り、メディアコンバータ１６０ａは、ＵＴＰケーブル１６５ｂへの送信が切断状態となっており、管理装置１８０が送信した端末１７０ｂ宛の通信状態取得メッセージをＵＴＰケーブル１６５ｂに送信できない場合、端末１７０ｂに代わって通信状態返信メッセージを返信する。管理装置１８０は、受信した通信状態返信メッセージの機器識別情報９９０及び通信状態情報９９５に基づき、端末１７０ｂへの通信経路がメディアコンバータ１６０ａにおいて切断状態となっていること、及びメディアコンバータ１６０ａの通信状態を知ることができる。管理装置１８０は、これらの情報に基づき、リモート管理装置１２０に対して通信状態を報告し、又はメディアコンバータ１６０ａに中断設定パケットを送信しＵＴＰケーブル１６５ｂへの送信の禁止を解除する等の対策を行うことができる。この様に、管理装置１８０は、端末１７０ｂ宛の通信状態取得メッセージを用いて、光ファイバ１５５ｂ、メディアコンバータ１６０ａ、ＵＴＰケーブル１６５ｂ、及び端末１７０ｂの通信状態を取得することができる。同様に、管理装置１８０は、端末１７０ｃ宛の通信状態取得メッセージを用いて、ＵＴＰケーブル１４５ｃ、メディアコンバータ１６０ｂ、光ファイバ１５５ｃ、メディアコンバータ１６０ｃ、ＵＴＰケーブル１６５ｃ、及び端末１７０ｃの通信状態を取得することができる。
図１０は、本発明の実施形態に係る管理装置１８０によるメディアコンバータ１５０ｂ及びメディアコンバータ１６０ａの障害検査処理のシーケンスを示す。
まず、ＵＴＰケーブル１６５ｂに障害が発生し、ＵＴＰケーブル１６５ｂからメディアコンバータ１６０ａへの受信が切断状態となる（Ｓ１０００）。この場合、メディアコンバータ１６０ａ内の中継禁止部３３０は、光ファイバ１５５ｂ及びＵＴＰケーブル１６５ｂへの送信を禁止する（Ｓ１０１０）。そして、メディアコンバータ１６０ａ内の通信状態保持部３２０は、Ｓ１０００及びＳ１０１０で発生又は設定した通信状態を格納する。
メディアコンバータ１６０ａによる光ファイバ１５５ｂへの送信が禁止されたことにより、メディアコンバータ１５０ｂにおいて光ファイバ１５５ｂからの受信が切断状態となる。メディアコンバータ１５０ｂ内の通信状態保持部３２０は、光ファイバ１５５ｂからの受信が切断状態となったことを検出する。この結果、メディアコンバータ１５０ｂ内の中継禁止部３３０は、ＵＴＰケーブル１４５ｂ及び光ファイバ１５５ｂへの送信を禁止する（Ｓ１０２０）。次に、管理装置１８０内の監視部５５０は、ＵＴＰケーブル１４５ｂの切断状態を検出する（Ｓ１０３０）。
次に、管理装置１８０内の中継再開部５６０は、メディアコンバータ１５０ｂに対して中断設定メッセージを送信し（Ｓ１０４０）、光ファイバ１５５ｂへの送信の禁止を解除させる（Ｓ１０５０）。そして、管理装置１８０内の制御部５１０は、管理メッセージ送信部５７０を介して端末１７０ｂ宛の通信状態取得メッセージを送信する（Ｓ１０６０）。メディアコンバータ１５０ｂは、管理装置１８０が送信した通信状態取得メッセージをメディアコンバータ１６０ａに転送する（Ｓ１０６５）。
次に、メディアコンバータ１６０ａは、管理装置１８０が送信した通信状態取得メッセージを受信する（Ｓ１０７０）。メディアコンバータ１６０ａ内の管理メッセージ変換部８２０ａは、受信した通信状態取得メッセージを変換し、メディアコンバータ１６０ａの通信状態を含む通信状態返信メッセージを生成する（Ｓ１０７５）。ここで、管理メッセージ変換部８２０ａは、図９に示した様に、通信状態取得メッセージのＩＰヘッダ９００ａにおける送信元ＩＰアドレス９１０ａ及び宛先ＩＰアドレス９２０ａを入れ替えて、通信状態返信メッセージの送信元ＩＰアドレス９１０ｂ及び宛先ＩＰアドレス９２０ｂに格納する。これにより、通信状態返信メッセージは、端末１７０ｂが送信した管理装置１８０宛のパケットであることを示すＩＰヘッダ９００ｂを保持することとなる。そして、メディアコンバータ１６０ａは、生成した通信状態返信メッセージを光ファイバ１５５ｂに送信する（Ｓ１０８０）。メディアコンバータ１５０ｂは、通信状態返信メッセージを取得し、管理装置１８０に転送する（Ｓ１０８５）。そして、管理装置１８０は、通信状態返信メッセージを受信する（Ｓ１０９０）。
以上の処理の結果、管理装置１８０は、メディアコンバータ１６０ａの通信状態を示す情報を取得することができる。
以上に示した通り、本実施形態に係る管理装置１８０は、メディアコンバータ１５０ｂ、及びメディアコンバータ１５０ｂを介してメディアコンバータ１６０ａの監視処理を行うことができる。管理装置１８０は、中継装置１４０と端末１７０ｂとの間の通信経路とは異なる通信経路である管理用ケーブル１８５を用いて、対応するメディアコンバータ１５０ｂｃの監視処理を行うことができる。従って、中継装置１４０と端末１７０ｂとの間の通信経路に障害が発生した場合においても、管理装置１８０は管理用ケーブル１８５を介して少なくともメディアコンバータ１５０ｂの管理を行うことができる。
一方、管理装置１８０は、メディアコンバータ１５０ｂを介してメディアコンバータ１６０ａを管理することができる。従って、メディアコンバータ１６０ａに直接接続する管理装置を設ける必要が無く、メディアコンバータ１５０ｂとメディアコンバータ１６０ａの間の距離を長くした場合等におけるケーブル配線を容易に行うことができる。
なお、メディアコンバータ１５０ｂ及びメディアコンバータ１６０ａによる通信経路と略同一の通信経路が複数存在する場合、管理装置１８０は、メディアコンバータ１５０ｂに相当する複数の中継装置を管理すると共に、メディアコンバータ１６０ａに相当する複数の中継装置をメディアコンバータ１５０ｂに相当する中継装置を介して管理してもよい。
図１１は、本発明の実施形態に係る管理装置１８０によるメディアコンバータ１６０ｂ及びメディアコンバータ１６０ｃの障害検査処理のシーケンスを示す。
まず、管理装置１８０は、本シーケンスにより障害を検出する検出対象の通信装置を、一時的に中継装置１４０とする（Ｓ１１００）。次に、管理装置１８０内の制御部５１０は、管理メッセージ送信部５７０を介して通信状態取得メッセージを端末１７０ｃ宛に送信する（Ｓ１１０５）。
次に、中継装置１４０と端末１７０ｃの間の通信状態によって、管理装置１８０において、通信状態取得メッセージに対する通信状態返信メッセージを受信しないか、又は通信状態返信メッセージをメディアコンバータ１６０ｂ、メディアコンバータ１６０ｃ、又は端末１７０ｃのいずれかから受信するかのいずれかの事象が発生する。ここで、管理装置１８０は、通信状態返信メッセージを受信しない場合、検出対象の通信装置に障害が発生しているものと見なす。そして、管理装置１８０は、当該通信装置の通信状態を記録し（Ｓ１１６０）、本シーケンスを終了する。
管理装置１８０内の制御部５１０は、メディアコンバータ１６０ｂから通信状態返信メッセージを返信メッセージ受信部５８０を介して受信すると、検出対象をメディアコンバータ１６０ｂとする（Ｓ１１１０）。次に、管理装置１８０内の制御部５１０は、通信状態返信メッセージに格納されたメディアコンバータ１６０ｂの通信状態を取得し、メディアコンバータ１６０ｂに障害が生じているかどうかを検査する（Ｓ１１１５）。メディアコンバータ１６０ｂに障害が発生している場合、管理装置１８０内の制御部５１０は、メディアコンバータ１６０ｂの通信状態を記録し（Ｓ１１６０）、本シーケンスを終了する。一方、メディアコンバータ１６０ｂに障害が発生していない場合、管理装置１８０内の中継再開部５６０は、中継設定メッセージをメディアコンバータ１６０ｂへ送信し、メディアコンバータ１６０ｂによるＵＴＰケーブル１４５ｃ及び光ファイバ１５５ｃへの送信の禁止を解除させる（Ｓ１１２０）。そして、管理装置１８０は、処理をＳ１１０５に進める。
また、管理装置１８０内の制御部５１０は、Ｓ１１０５の後にメディアコンバータ１６０ｃから通信状態返信メッセージを受信すると、検出対象をメディアコンバータ１６０ｃとする（Ｓ１１３０）。次に、管理装置１８０内の制御部５１０は、通信状態返信メッセージに格納されたメディアコンバータ１６０ｃの通信状態を取得し、メディアコンバータ１６０ｃに障害が生じているかどうかを検査する（Ｓ１１３５）。メディアコンバータ１６０ｃに障害が発生している場合、管理装置１８０内の制御部５１０は、メディアコンバータ１６０ｃの通信状態を記録し（Ｓ１１６０）、本シーケンスを終了する。一方、メディアコンバータ１６０ｃに障害が発生していない場合、管理装置１８０内の中継再開部５６０は、中継設定メッセージをメディアコンバータ１６０ｃへ送信し、メディアコンバータ１６０ｃによる光ファイバ１５５ｃ及びＵＴＰケーブル１６５ｃへの送信の禁止を解除させる（Ｓ１１４０）。そして、管理装置１８０は、処理をＳ１１０５に進める。
また、管理装置１８０内の制御部５１０は、Ｓ１１０５の後に端末１７０ｃから通信状態返信メッセージを受信すると、検出対象を”無”とする（Ｓ１１５０）。そして、管理装置１８０内の制御部５１０は、中継装置１４０と端末１７０ｃの間の通信が正常状態であることを記録し（Ｓ１１６０）、本シーケンスを終了する。
以上の処理により、管理装置１８０は、中継装置１４０と端末１７０ｃの間の通信状態を、通信状態取得メッセージを用いて取得することができる。
例えば、メディアコンバータ１６０ｃにおいてＵＴＰケーブル１６５ｃからの受信が障害により切断状態となった場合、メディアコンバータ１６０ｃは、光ファイバ１５５ｃとＵＴＰケーブル１６５ｃへの送信を禁止して切断状態とし、メディアコンバータ１６０ｂは、光ファイバ１５５ｃからの受信が切断状態であることからＵＴＰケーブル１４５ｃと光ファイバ１５５ｃへの送信を切断状態とする。この場合、管理装置１８０内の制御部５１０は、端末１７０ｃ宛に送信した通信状態取得メッセージの返信を、メディアコンバータ１６０ｂから受信する。なぜなら、メディアコンバータ１６０ｂから光ファイバ１５５ｃへの送信が切断状態であるため、メディアコンバータ１６０ｂが通信状態取得メッセージに対する返信メッセージを管理装置１８０宛に送信するためである。
次に、管理装置１８０内の中継再開部５６０は、メディアコンバータ１６０ｂ内の中継禁止部３３０によって禁止されたメディアコンバータ１６０ｂから光ファイバ１５５ｃへの送信の切断状態を解除させる。この後、管理装置１８０内の制御部５１０は、端末１７０ｃ宛の通信状態取得メッセージを中継装置１４０経由で送信する。この場合、管理装置１８０内の制御部５１０は、端末１７０ｃ宛に送信した通信状態取得メッセージの返信を、メディアコンバータ１６０ｃから受信する。なぜなら、メディアコンバータ１６０ｃからＵＴＰケーブル１６５ｃへの送信が切断状態であるため、メディアコンバータ１６０ｃが通信状態取得メッセージに対する返信メッセージを管理装置１８０宛に送信するためである。
以上の様に、管理装置１８０は、端末１７０ｃ宛の通信状態取得メッセージと、中継設定メッセージとを用いて、メディアコンバータ１６０ｂ、メディアコンバータ１６０ｃの順に通信状態を取得し、障害の有無の検査を行うことができる。
以上に示した通り、本実施形態に係る管理装置１８０は、中継装置１４０と端末１７０ｃとの間の通信経路を用いてメディアコンバータ１６０ｂ及びメディアコンバータ１６０ｃの障害検査処理を行うことができる。従って、本実施形態に係る管理装置１８０は、管理用ケーブルを用いずにメディアコンバータ１６０ｂ及びメディアコンバータ１６０ｃを管理することができる。また、本実施形態に係るメディアコンバータ１６０ｂ及びメディアコンバータ１６０ｃは、次の通信装置に対する送信が禁止されている場合に、管理メッセージに対する返信メッセージを管理装置１８０に対して返信する。ここで、メディアコンバータ１６０ｂ及びメディアコンバータ１６０ｃ内の管理メッセージ変換部８２０ａは、管理メッセージの一部を変換して返信メッセージを生成するため、新たなメッセージを生成する場合と比較し小規模な回路を用いて実現できる。
図１２は、本発明の実施形態に係る管理装置１８０のハードウェア構成の一例を示す。本実施形態に係る管理装置１８０の機能は、ＣＰＵ１２１０、ＲＯＭ１２２０、ＲＡＭ１２３０、通信インターフェイス１２４０、及びハードディスクドライブ１２５０を備える計算機１２００と、計算機１２００上で実行されるプログラムとの連携により実現される。計算機１２００は、フロッピーディスクドライブ１２６０及び／又はＣＤ−ＲＯＭドライブ１２７０を更に備えてもよい。
管理装置１８０を実現するプログラムは、管理コマンド受信モジュールと、制御モジュールと、管理コマンド返信モジュールと、管理コマンド送信モジュールと、返信コマンド受信モジュールと、監視モジュールと、中継再開モジュールと、管理メッセージ送信モジュールと、返信メッセージ受信モジュールとを備える。これらのモジュールは、計算機１２００を、管理コマンド受信部５００、制御部５１０、管理コマンド返信部５２０、管理コマンド送信部５３０、返信コマンド受信部５４０、監視部５５０、中継再開部５６０、管理メッセージ送信部５７０、返信メッセージ受信部５８０として動作させるプログラムである。
以上に示したプログラム又はモジュールは、外部の記憶媒体に格納されてもよい。記憶媒体としては、フロッピーディスク１２８０、ＣＤ−ＲＯＭ１２９０の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワーク１３０又は計算機１２００に接続されたネットワーク等を介してプログラムを計算機１２００に提供してもよい。
以上発明の実施の形態を説明したが、本出願に係る発明の技術的範囲は上記の実施の形態に限定されるものではない。上記実施の形態に種々の変更を加えて、請求の範囲に記載の発明を実施することができる。そのような発明が本出願に係る発明の技術的範囲に属することもまた、請求の範囲の記載から明らかである。
例えば、メディアコンバータ１６０ａ内の管理メッセージ変換部８２０ａ及び管理メッセージ変換部８２０ｂは、通信状態取得メッセージを変換して通信状態返信メッセージを生成する場合に、図９に示した処理に加えて通信状態取得メッセージを含むイーサネットフレームにおける宛先ＭＡＣアドレスと送信元ＭＡＣアドレスを入れ替えてもよい。
産業上の利用可能性
以上の説明から明らかなように、本発明によれば、多数の中継装置からなるネットワークを、管理作業の手間を省き、低い管理コストで管理可能とすることができる。
【図面の簡単な説明】
図１は、本発明の実施形態に係るグローバル通信システム１００の構成の一例を示す。
図２は、本発明の実施形態に係る中継装置１４０の構成の一例を示す。
図３は、本発明の実施形態に係るメディアコンバータ１５０ａの構成を示す。
図４は、本発明の実施形態に係る通信状態保持部３２０の一例を表形式により示す。
図５は、本発明の実施形態に係る管理装置１８０の構成を示す。
図６は、本発明の実施形態に係る管理装置１８０及び管理装置１９０によるメディアコンバータ１５０ａ及びメディアコンバータ１５０ｃの監視処理のシーケンスを示す。
図７は、本発明の実施形態に係るメディアコンバータ１６０ａの構成を示す。
図８は、本発明の実施形態に係るＭＣ中継部７１０の構成を示す。
図９は、本発明の実施形態に係る通信状態取得メッセージ及び通信状態返信メッセージのフォーマットの一例を示す。
図１０は、本発明の実施形態に係る管理装置１８０によるメディアコンバータ１５０ｂ及びメディアコンバータ１６０ａの障害検査処理のシーケンスを示す。
図１１は、本発明の実施形態に係る管理装置１８０によるメディアコンバータ１６０ｂ及びメディアコンバータ１６０ｃの障害検査処理のシーケンスを示す。
図１２は、本発明の実施形態に係る管理装置１８０のハードウェア構成の一例を示す。
図面に用いた主な符号の凡例を以下に示す。
１００  グローバル通信システム
１１０  通信システム
１２０  リモート管理装置
１３０  ネットワーク
１４０  中継装置
１４５ａ〜ｃ  ＵＴＰケーブル
１５０ａ〜ｃ  メディアコンバータ
１５５ａ〜ｃ  光ファイバ
１６０ａ〜ｃ  メディアコンバータ
１６５ａ〜ｃ  ＵＴＰケーブル
１７０ａ〜ｃ  端末
１７５  ＵＴＰケーブル
１８０  管理装置
１８５  管理用ケーブル
１８７  ＵＴＰケーブル
１９０  管理装置
１９５  管理用ケーブル
２００ａ〜ｃ  中継機器
３００ａ〜ｂ  ＰＨＹ
３１０  ＭＣ中継部
３２０  通信状態保持部
３３０  中継禁止部
３４０  管理メッセージ受信部
３５０  ＭＣ管理部
３６０  管理メッセージ返信部
５００  管理コマンド受信部
５１０  制御部
５２０  管理コマンド返信部
５３０  管理コマンド送信部
５４０  返信コマンド受信部
５５０  監視部
５６０  中継再開部
５７０  管理メッセージ送信部
５８０  返信メッセージ受信部
７１０  ＭＣ中継部
８００ａ〜ｂ  ＦＩＦＯキュー
８１０ａ〜ｂ  管理メッセージ受信部
８２０ａ〜ｂ  管理メッセージ変換部
８３０ａ〜ｂ  管理メッセージ返信部
８４０ａ〜ｂ  マルチプレクサ
９００ａ〜ｂ  ＩＰヘッダ
９１０ａ〜ｂ  送信元ＩＰアドレス
９２０ａ〜ｂ  宛先ＩＰアドレス
９３０  エコーメッセージ部
９４０  エコーリプライメッセージ部
９５０ａ〜ｂ  タイプ部
９６０ａ〜ｂ  コード部
９７０ａ〜ｂ  チェックサム部
９８０ａ〜ｂ  データ部
９９０  機器識別情報
９９５  通信状態情報
１２００  計算機
１２１０  ＣＰＵ
１２２０  ＲＯＭ
１２３０  ＲＡＭ
１２４０  通信インターフェイス
１２５０  ハードディスクドライブ
１２６０  フロッピーディスクドライブ
１２７０  ＣＤ−ＲＯＭドライブ
１２８０  フロッピーディスク
１２９０  ＣＤ−ＲＯＭ
【図１】
2003055144.tif 000003
【図２】
2003055144.tif 000004
【図３】
2003055144.tif 000005
【図４】
2003055144.tif 000006
【図５】
2003055144.tif 000007
【図６】
2003055144.tif 000008
【図７】
2003055144.tif 000009
【図８】
2003055144.tif 000010
【図９】
2003055144.tif 000011
【図１０】
2003055144.tif 000012
【図１１】
2003055144.tif 000013
【図１２】
2003055144.tif 000014
【国際調査報告】
2003055144.tif 000015
2003055144.tif 000016
2003055144.tif 000017